(57)【要約】【課題】つる性植物の根の付着をしっかりと行うことができ、しかも窓からの採光を可能とし裏面の美観も向上できる緑化装置を提供する。【解決手段】緑化装置１は、横方向に間隔を開けて複数個配置され、表側につる性植物の根が付着する被付着面を有した縦長材２と、上記複数の縦長材２を連結固定する連結材３と、光が透過する開口部分と上記つる性植物を支える支持部分とを有し、上記縦長材２から表側に離間して上記つる性植物Ｐの成長空間を形成するように配置されたワイヤーメッシュ４と、を備える。【選択図】図５
2013162782.tif 000002
【特許請求の範囲】
【請求項１】
横方向に間隔を開けて複数個配置され、表側がつる性植物の根が付着する被付着面とされた縦長材と、上記複数の縦長材を連結固定する連結材と、光が透過する開口部分と上記つる性植物を支える支持部分とを有し、上記縦長材から表側に離間して配置された採光支持材と、を備えたことを特徴とする緑化装置。
【請求項２】
請求項１に記載の緑化装置において、上記被付着面は凹凸形状を有することを特徴とする緑化装置。
【請求項３】
請求項２に記載の緑化装置において、上記凹凸形状は縦溝により形成されていることを特徴とする緑化装置。
【請求項４】
請求項１〜請求項３のいずれか１項に記載の緑化装置において、上記採光支持材を支持する支持具が、上記縦長材を上記連結材に固定する締結具によって上記連結材に固定されていることを特徴とする緑化装置。
【請求項５】
請求項１〜請求項３のいずれか１項に記載の緑化装置において、上記採光支持材を支持する支持具の上記連結材への固定と、上記縦長材の上記連結材への固定とが、別々の固定手段により行われていることを特徴とする緑化装置。
【発明の詳細な説明】
【技術分野】
【０００１】
この発明は、つる性植物を登攀させて壁面などを緑化する緑化装置に関する。
【背景技術】
【０００２】
特許文献１には、構造物の外壁面に緑化面と非緑化面を画然と形成し、かつ保持することができる壁面緑化装置が開示されている。この壁面緑化装置は、フレームとパネル取付材とネットパネルとルーバーパネルとにより構成される。上記フレームは、複数本の支柱を複数本の横材で連結して構成された骨組みであり、建造物の外壁面から離間して立設される。上記パネル取付材は、上記フレームの外面に上下方向に上記ネットパネル及び上記ルーバーパネルの高さとほぼ等しい間隔をもって取り付けられている。上記ネットパネルは、枠体の内側に植物が絡まって生長可能なメッシュのネットが張設され、上記パネル取付材に取り付けられている。上記ルーバーパネルは、枠体の内側に植物が絡まることができない間隔でルーバーが配設され、上記パネル取付材に取り付けられる。
【０００３】
また、保水性を有するヤシ繊維などからなる登攀マットと立体金網とを組み合わせたヘデラ登攀システムも知られている。このヘデラ登攀システムによれば、上記登攀マットにヘデラの根が付着し、上記立体金網によってヘデラの登攀が促進される。
【先行技術文献】
【特許文献】
【０００４】
【特許文献１】特開２０１０−１１５１１７号公報
【発明の概要】
【発明が解決しようとする課題】
【０００５】
しかしながら、上記特許文献１に記載の壁面緑化装置では、つる性植物の根の付着が良好に行われず、暴風や積雪などで植物が剥がれ落ちるおそれがある。一方、上記ヘデラ登攀システムでは、これを窓の箇所に配置すると、上記登攀マットにより光が遮られ、窓からの採光ができなくなる。また、上記窓からは上記登攀マットの裏面が見えるが、この裏面の美観が優れているとは言えない。
【０００６】
この発明は、上記の事情に鑑み、つる性植物の根の付着がしっかりと行われ、しかも窓からの採光を可能とし裏面の美観も向上できる緑化装置を提供することを課題とする。
【課題を解決するための手段】
【０００７】
この発明の緑化装置は、上記の課題を解決するために、横方向に間隔を開けて複数個配置され、表側がつる性植物の根が付着する被付着面とされた縦長材と、上記複数の縦長材を連結固定する連結材と、光が透過する開口部分と上記つる性植物を支える支持部分とを有し、上記縦長材から表側に離間して配置された採光支持材と、を備えたことを特徴とする。
【０００８】
上記の構成であれば、上記縦長材はその表側がつる性植物の根が付着する被付着面とされるので、つる性植物として付着性植物を用いる場合に、その根の付着がしっかりと行われ、暴風や積雪などで植物が剥がれ落ちるのを防止することができる。また、上記縦長材は横方向に間隔を開けて複数個配置されているとともに上記採光支持材は光が透過する開口部分を有するので、緑化装置を窓の箇所に配置したとしても当該窓からの採光も可能となる。さらに、上記縦長材の裏面については意匠性の高い面とすることが可能であり、裏面の美観も向上できる。また、上記採光支持材が上記支持部分を有することで、上記付着性植物だけでなく、つる性植物として巻きつき性植物を用いた緑化にも対応できる。
【０００９】
上記被付着面は凹凸形状を有していてもよい。これによれば、上記被付着面の面積が増えることになるので、つる性植物の根の付着がさらにしっかりと行われることになる。上記凹凸形状は縦溝により形成されていてもよい。これによれば、つる性植物の茎の上方直進性が向上する。また、付着根は日光と逆の向きに伸張する背日性があるため、縦溝を施すことで、付着根が溝に沿って伸張し、植物の付着登攀成功率が上昇する。
【００１０】
上記採光支持材を支持する支持具が、上記縦長材を上記連結材に固定する締結具によって上記連結材に固定されていてもよい。或いは、上記採光支持材を支持する支持具の上記連結材への固定と、上記縦長材の上記連結材への固定とが、別々の固定手段により行われていてもよい。
【発明の効果】
【００１１】
本発明であれば、つる性植物の根がしっかりと付着するので暴風や積雪などでつる性植物が剥がれ落ちるのを防止できる。また、窓からの採光も可能となり、裏面からの美観も向上できる。さらに、つる性植物として付着性植物を用いた緑化と巻きつき性植物を用いた緑化のいずれにも対応できる等の諸効果を奏する。
【図面の簡単な説明】
【００１２】
【図１】本発明の一実施形態に係る緑化装置を示した斜視図である。
【図２】図１の緑化装置においてワイヤーメッシュを取り外した状態を示した斜視図である。
【図３】図１の緑化装置の一部を拡大して示した斜視図である。
【図４】図１の緑化装置における固定金具を示した斜視図である。
【図５】図１の緑化装置を家屋の壁側に取り付けた状態を示した斜視図である。
【図６】図１の緑化装置を家屋の壁側に縦に複数並べて取り付けた状態を示した斜視図である。
【図７】図１の緑化装置を横方向に複数並べて取り付けた状態を示した斜視図である。
【図８】本発明の他の実施形態の緑化装置の一部を拡大して示した斜視図である。
【図９】図８の緑化装置における固定金具を示した平面図である。
【図１０】同図（Ａ）は図８の緑化装置における固定金具と連結材との接続状態を示した平面図であり、同図（Ｂ）は同正面図である。
【発明を実施するための形態】
【００１３】
次に、本発明の実施形態に係る緑化装置を添付図面に基づいて具体的に説明する。なお、本発明に係る緑化装置は、下記の実施形態に示したものに限定されず、その要旨を変更しない範囲において適宜変更して実施できるものである。
【００１４】
図１に示すように、この実施形態の緑化装置１は、４本の縦長材２と、２本の連結材３と、１枚のワイヤーメッシュ（採光支持材）４と、を備えている。上記緑化装置１の大きさは、例えば、縦寸法が２０００ｍｍ程度で横寸法が１０００ｍｍ程度とされる。
【００１５】
上記４本の縦長材２は、図２にも示すように、横方向に一定の間隔を開けてルーバー状に配置されている。各縦長材２は、その厚みが２０ｍｍ程度とされており、横幅が８０ｍｍ程度とされており、配置間隔は１７０ｍｍ程度とされている。各縦長材２は、耐候性向上のために熱処理された天然木材（例えば、ひのき）または人工木材等からからなる。また、各縦長材２の表側の面は、つる性植物の付着根（気根）が付着する被付着面となっており、この実施形態では例えば深さが５ｍｍ〜１０ｍｍ程度で幅が１０ｍｍ程度の縦溝２ａが加工されることで凹凸が形成されている。上記縦長材２の本数、厚み、幅等並びに縦溝２ａの本数、深さ、幅等については何ら限定されないものであり、また、縦溝に限らず横溝が加工されることで凹凸が形成されてもよい。
【００１６】
上記２本の連結材３は、上記緑化装置１における上端側と下端側とに位置し、上記４本の縦長材２を連結固定している。各連結材３は、幅が１０００ｍｍ程度のアングル材からなる。このアングル材の垂直面となる面に各縦長材２の裏面が当接されている。
【００１７】
上記ワイヤーメッシュ４は、メッキ処理された複数本の縦配置ワイヤーと複数本の横配置ワイヤーとを交差させ、この交差箇所を例えば溶接により相互に固定したものであり、光が透過する開口部分とつる性植物を支える支持部分とを有する。この実施形態では、ワイヤーの直径は５ｍｍ程度、上記開口部分の大きさは縦横ともに１００ｍｍ程度、全体の幅が９００ｍｍ程度で高さが１９００ｍｍ程度としている。
【００１８】
上記縦長材２の表面側の上端位置と中央位置と下端位置の３カ所に固定金具５が設けられている。そして、上端位置の固定金具５によって上記縦長材２の上端部が上側の連結材３に固定されており、下端位置の固定金具５によって上記縦長材２の下端部が下側の連結材３に固定されている。また、全ての固定金具５の支持部５ａによって上記ワイヤーメッシュ４が支持されている。
【００１９】
図３は図１の一部を拡大して示した斜視図であり、図４は上記固定金具５の本体部および係止片５ｂを示した斜視図である。上記固定金具５の本体部における上記縦長材２に当接する当接部位の中央位置には貫通穴５ｅが形成されている。そして、上記縦長材２及び上記連結材３には上記貫通穴５ｅに対応する貫通穴が形成されており、これらの貫通穴にボルト５ｄ（締結具）が挿通されている。このボルト５ｄの先端部は上記連結材３の裏面側に突き出ており、この突き出た部位に螺着されたナットによって、上記連結材３と上記縦長材２と上記固定金具５とが相互に固定される。
【００２０】
上記支持部５ａの左右椀部は上記本体部における上記当接部位の正面方向に対して下り傾斜して形成されており、上記貫通穴５ｅの真正面側に部材が存在しないため、上記ボルト５ｄへのレンチ装着が容易になっている。上記支持部５ａの先端は折り曲げられて取付平面部をなしており、その中央箇所に円形切欠き５ｆが形成されている。
【００２１】
上記係止片５ｂは鉤形状を有しており、水平部分が上記ワイヤーメッシュ４の横配置ワイヤーの押さえ片として機能する。また、上記係止片５ｂの垂直部分には、上記円形切欠き５ｆに対応する貫通穴５ｇが形成されており、この貫通穴５ｇと上記円形切欠き５ｆとに通すようにボルト５ｃが挿入される。このボルト５ｃの先端部は上記支持部５ａの裏面側に突き出される。この突き出た部位にナットが螺着されることによって、上記ワイヤーメッシュ４の横配置ワイヤーが上記固定金具５に係止される。上記支持部５ａの高さは５０ｍｍ程度とされており、上記ワイヤーメッシュ４は上記縦長材２の表側から離間して上記つる性植物の成長空間を形成することになる。さらに、上記支持部５ａは空間（台形状の空間）を形成するようになっているので、この支持部５ａによって植物の上方直進が妨げられることもない。なお、上記支持部５ａの左右椀部は先述のように正面方向に下り傾斜して形成されているので、この支持部５ａの上記取付平面部の上端面と上記鉤形状の係止片５ｂとにより三角空間が形成され、この三角空間内に上記横配置ワイヤーが位置することになる。
【００２２】
図５は上記緑化装置１を家屋１０の外壁に取り付けた状態を示した斜視図である。家屋１０の外壁には、例えば、角材からなる取付バー１１が固定されており、上記緑化装置１は上記連結材３の水平面部を上記取付バー１１の上面に当接させ、取付ボルト７によって固定されている。
【００２３】
上記緑化装置１の近傍において、地面につる性植物が植え込まれる。この実施形態ではつる性植物として付着性植物Ｐを用いている。各付着性植物Ｐは、上記縦長材２と上記ワイヤーメッシュ４との間である上記成長空間に配置され、その付着根が上記縦長材２の表側の被付着面に位置できるように植え込まれる。
【００２４】
このような構造を有する緑化装置１であれば、上記縦長材２はその表側がつる性植物の根が付着する被付着面とされるので、つる性植物として付着性植物Ｐを用いる場合でも、その根の付着がしっかりと行われ、暴風や積雪などで植物が剥がれ落ちるのを防止することができる。そして、この実施形態では、上記縦長材２として木材を用いているので、樹脂を用いる場合よりも根の付着性に優れるとともに、劣化した縦長材２を交換するときの環境負荷も小さくできる。また、上記縦長材２は横方向に間隔を開けて配置されているとともに採光支持材である上記ワイヤーメッシュ４は光が透過する開口部分を有するので、緑化装置１を窓の箇所に配置したとしても当該窓からの採光も可能となる。さらに、上記縦長材２の裏面については意匠性の高い面とすることができるので（木目など、縦長材２の素材を活かした意匠でもよい）、裏面からの美観も向上できる。また、上記ワイヤーメッシュ４が支持部分を有することで、上記付着性植物Ｐだけでなく、巻きつき性植物を用いた緑化にも対応できる。
【００２５】
さらに、この実施形態では、上記被付着面は凹凸形状を有し、表面積が増大させられているので、上記付着性植物Ｐの根の付着がさらにしっかりと行われることになる。また、上記凹凸形状は縦溝２ａにより形成されているので、つる性植物の茎の上方直進性が向上する。また、付着根は日光と逆の向きに伸張する背日性があるため、縦溝２ａを施すことで、付着根が溝に沿って伸張し、植物の付着登攀成功率が上昇する。
【００２６】
上記縦長材２として木材を用いることを示したが、これに限らず、多孔質セラミック板や押出成形セメント板（メース板）等を用いることができ、また、このような多孔質セラミック板や押出成形セメント板の表面に溝を形成するようにしてもよい。さらに、縦長材の基体部分を例えば熱処理された天然木材または人工木材さらにはアルミニウム材や鋼材などとし、被付着面となる表面に多孔質セラミック板やフェルト板等を貼り付けることとしてもよい。これらの板は縦溝２ａ内に埋め込んだ状態で貼り付けてもよい。また、上記凹凸形状は溝加工によって形成するのではなく、四角や三角等の棒状材を設けることにより形成してもよい。また、上記縦長材２の裏面の美観を長持ちさせるために、この裏面に防汚コート層、防腐コート層、タイル貼り層等を形成してもよい。このように裏面に防汚コート層等を形成すると、この裏面につる性植物の付着根が回り込むのを軽減することが可能であり、これによって上記縦長材２の裏面の美観が長持ちすることが期待できる。すなわち、上記縦長材２として、表面と裏面とが形状や機能において同一とされる部材を用いるのではなく、表面は裏面と対比して根の付着性に優れ、裏面は表面と対比して美観の維持性と根の付着防止性の少なくとも一方に優れるように異なる加工が施された部材を用いるようにしてもよい。
【００２７】
また、採光支持材としてワイヤーメッシュ４を例示したが、パンチングメタル（有孔折板）や防錆処理を特に必要としないコールテン鋼等、貫通穴や隙間による開口が形成できる素材からなる、平板状、湾曲板状、或いは波板状の採光支持材を用いてもよいものである。なお、用いる採光支持材によって上記固定金具５の形状等が変わりうる。
【００２８】
図６は２枚の緑化装置１を縦方向に配置して家屋１０の外壁に取り付けた状態を示した斜視図である。縦長の窓１２が配置される箇所では、このように複数の緑化装置１を繋ぎ合わせて用いることができる。
【００２９】
図７は３枚の緑化装置１を横方向に配置して作製した塀（フェンス）を示した斜視図である。このように、緑化される塀を必要とするのであれば、複数の緑化装置１を横方向に配置して用いるとよい。
【００３０】
上記緑化装置１では、上記縦長材２と上記固定金具５とが同じボルト５ｄによって連結されており、上記縦長材２が経年劣化で痩せた場合、上記ボルト５ｄによる締結に緩みが生じるため、上記支持本体部５１ａによって支持される上記ワイヤーメッシュ４の支持に緩みが生じるおそれがある。
【００３１】
図８、図９、図１０（Ａ）および図１０（Ｂ）は、上記ワイヤーメッシュ４の支持緩みを防止できる緑化装置１Ａを示した図である。この緑化装置１Ａにおける固定金具５１は、支持本体部５１ａと、係止片５１ｂとを備えたものであり、上記支持本体部５１ａが上記縦長材２を介さずに直接に上記連結材３に固定されている。例えば、上記支持本体部５１ａの背側部位において左右に離間して２カ所に打ち込まれたリベット（固定手段）５１ｃ、５１ｃによって、上記支持本体部５１ａが上記連結材３に固定される。上記リベットに限らず、ボルト・ナットといった締結具や溶接等の固定手段によって上記支持本体部５１ａを上記連結材３に直接固定することができる。
【００３２】
上記支持本体部５１ａにおける上記背側部位の中央位置には、貫通穴５１ｄが形成されている。また、上記縦長材２を押さえるための押さえ片５２の中央位置には貫通穴５２ａが形成されている。上記押さえ片５２は、横長の長方形状の板片の左右位置に非直角で曲げ部が形成されたものであり、上記曲げ部の間に上記縦長材２の表面の凸部を位置させて設けられる。そして、上記縦長材２および上記連結材３には、上記貫通穴５１ｄ、５２ａに連通する貫通穴が形成されており、これら貫通穴にボルト（固定手段）５３が挿通されている。上記ボルト５３の先端部は上記連結材３の裏面側に突き出ており、この突き出た部位に螺着されたナット５４によって、上記縦長材２が上記連結材３に固定される。
【００３３】
上記ワイヤーメッシュ４は上記支持本体部５１ａによって支持される。上記支持本体部５１ａの左右椀部は正面方向に対して下り傾斜するように形成されており、上記貫通穴５２ａの真正面側に部材が存在しないため、上記ボルト５３へのレンチ装着が容易である。また、上記支持本体部５１ａの左右椀部の先端は各々折り曲げられて取付平面部をなし、この取付平面部が互いに重なることで強度が増している。そして、上記取付平面部の中央位置に貫通穴５１ｅが形成されている。
【００３４】
上記係止片５１ｂは鉤形状を有しており、その水平部が上記ワイヤーメッシュ４の横配置ワイヤーの押さえ片として機能する。また、上記係止片５１ｂの垂直部には、上記貫通穴５１ｅに連通する貫通縦長穴が形成されており、この貫通縦長穴と上記貫通穴５１ｅとにボルト５１ｆが挿入される。このボルト５１ｆの先端部は上記支持本体部５１ａの上記取付平面部の裏面側に突き出される。この突き出た部位にナット５１ｇが螺着されることによって、上記ワイヤーメッシュ４の横配置ワイヤーが上記固定金具５１に固定される。また、上記支持本体部５１ａの高さは、例えば６０ｍｍ程度とされており、上記ワイヤーメッシュ４は上記縦長材２の表側から離間して位置し、上記つる性植物の成長空間を形成することになる。さらに、上記支持本体部５１ａは空間（台形状の空間）を形成するようになっているので、この支持本体部５１ａによって植物の上方直進が妨げられることもない。なお、上記支持本体部５１ａの上記左右椀部は先述のように正面方向に下り傾斜して形成されているので、上記取付平面部の上端面と上記鉤形状の係止片５１ｂとにより三角空間が形成され、この三角空間内に上記横配置ワイヤーが位置することになる。
【００３５】
上記固定金具５１は、上記支持本体部５１ａが上記連結材３に直接固定されるため、高い強度を実現できる上に、上記縦長材２が経年劣化で痩せたとしても、上記支持本体部５１ａと上記連結材３との固定状態はしっかりと維持され、上記支持本体部５１ａによる上記ワイヤーメッシュ４の支持緩みは生じない。
【００３６】
また、上記縦長材２が経年劣化で痩せた場でも、上記ボルト５３の増し締めを行うことで当該縦長材２をしっかりと固定しなおすことができる。さらに、上記支持本体部５１ａを上記連結材３から取り外すことなく、劣化した縦長材２を新品の縦長材２と交換することもできる。
【符号の説明】
【００３７】
１、１Ａ      緑化装置
２      縦長材
２ａ    縦溝（凹凸）
３      連結材
４      ワイヤーメッシュ（採光支持材）
５、５１      固定金具(支持具)
５ｄ    ボルト（締結具）
１０    家屋
１１    取付バー
１２    窓
５１ｃ  リベット（固定手段）
５３    ボルト（固定手段）
【図１】
2013162782.tif 000003
【図２】
2013162782.tif 000004
【図３】
2013162782.tif 000005
【図４】
2013162782.tif 000006
【図５】
2013162782.tif 000007
【図６】
2013162782.tif 000008
【図７】
2013162782.tif 000009
【図８】
2013162782.tif 000010
【図９】
2013162782.tif 000011
【図１０】
2013162782.tif 000012